(57)【要約】【課題】    本発明の目的は、すり切られた物が擦り切り部の上面へ移動するのを防ぐようにした料理用計量スプーンを提供するものである。【解決手段】    料理用計量スプーンＫは、物をすくい取る凹状の容器部１と、この容器部１に接続された柄２と、この柄２に摺動自在に取り付けられ、容器部１の縁より上にあるすくい取られた前記物を取り去る擦り切り部３と、この擦り切り部３の前縁より立ち上がるように設けられた壁部３０とを備え、擦り切り部３には、表裏を貫く複数の開口部３２が設けられているものである。【選択図】図１
2019078536.tif 000002
【特許請求の範囲】
【請求項１】
物をすくい取る凹状の容器部と、
この容器部に接続された柄と、
この柄に摺動自在に取り付けられ、前記容器部の縁より上にあるすくい取られた前記物を取り去る擦り切り部と、
この擦り切り部の前縁より立ち上がるように設けられた壁部とを備え、
前記擦り切り部には、表裏を貫く複数の開口部が設けられている
ことを特徴とする料理用計量スプーン。
【請求項２】
物をすくい取る凹状の容器部と、
この容器部に接続された柄と、
この柄に摺動自在に取り付けられ、前記容器部の縁より上にあるすくい取られた前記物を取り去る擦り切り部と、
この擦り切り部の前縁より立ち上がるように設けられた壁部とを備えている
ことを特徴とする料理用計量スプーン。
【請求項３】
柄に設けられ、前記柄の長手方向に平行な長手形状の開口部と、
この長手形状の開口部の容器部より前記柄の後端に近い側に設けられ、前記長手形状の開口部の長手方向を横断する方向に張り出すと共に、前記長手形状の開口部に連通する張り出し開口部と、
前記柄の裏面に設けられ、前記長手形状の開口部近傍の一方に設けられ、前記柄の長手方向に平行な第１のリブと、
前記柄の裏面に設けられ、前記長手形状の開口部近傍の他方に設けられ、前記柄の長手方向に平行な第２のリブと、
前記擦り切り部の裏面に接続され、前記長手形状の開口部の対向面に当接してスライドするスライダ部と、
このスライダ部に接続され、前記長手形状の開口部の長手方向を横断する幅寸法より大きく、前記長手形状の開口部の長手方向を横断する前記張り出し開口部の幅寸法より小さい幅寸法を有する凸部とを備え、
前記張り出し開口部を介して前記擦り切り部を前記柄に取り付け、取り外しできる
ことを特徴とする請求項１又は請求項２記載の料理用計量スプーン。
【請求項４】
柄の後端であって、前記柄の裏面に設けられた指がかかるストッパー部を備えている    ことを特徴とする請求項１又は請求項２又は請求項３記載の料理用計量スプーン。
【請求項５】
凹状の容器部は、
柄に接続され、容器部先端に向かって下る方向に傾斜した傾斜面と、
この傾斜面に接続され、略半球状の略半球面と
を有する
ことを特徴とする請求項１又は請求項２又は請求項３又は請求項４記載の料理用計量スプーン。
【発明の詳細な説明】
【技術分野】
【０００１】
本発明は、料理用計量スプーンに係り、特に、すり切られた物が擦り切り部の上面へ移動するのを防ぐようにした料理用計量スプーンに関する。
【背景技術】
【０００２】
従来、物（例えば、塩、砂糖、小麦粉等）をすくい取る凹状の容器部と、この容器部に接続された柄と、この柄に摺動自在に取り付けられ、前記容器部の縁より上にあるすくい取られた前記物を取り去る擦り切り部と、を有する料理用計量スプーンがある（特許文献１参照）。
【先行技術文献】
【特許文献】
【０００３】
【特許文献１】特許第４１１２８３９号公報
【発明の概要】
【発明が解決しようとする課題】
【０００４】
しかしながら、上記の料理用計量スプーンにあっては、すり切られた物が擦り切り部の上面へ移動し、料理用計量スプーンを反転させて複数の開口部から物を排出した場合、凹状の容器部内の一定量の物に加えて、擦り切り部の上面に移動した余分な量の物が加わってしまうという問題点が生じた。
【０００５】
本発明は、上記問題点を考慮してなされたもので、すり切られた物が擦り切り部の上面へ移動するのを防ぐようにした料理用計量スプーンを提供することを目的とする。
【課題を解決するための手段】
【０００６】
請求項１記載の料理用計量スプーンは、物をすくい取る凹状の容器部と、この容器部に接続された柄と、この柄に摺動自在に取り付けられ、前記容器部の縁より上にあるすくい取られた前記物を取り去る擦り切り部と、この擦り切り部の前縁より立ち上がるように設けられた壁部とを備え、前記擦り切り部には、表裏を貫く複数の開口部が設けられているものである。
【０００７】
また、請求項２記載の料理用計量スプーンは、物をすくい取る凹状の容器部と、この容器部に接続された柄と、この柄に摺動自在に取り付けられ、前記容器部の縁より上にあるすくい取られた前記物を取り去る擦り切り部と、この擦り切り部の前縁より立ち上がるように設けられた壁部とを備えているものである。
【０００８】
また、請求項３記載の料理用計量スプーンは、請求項１又は請求項２記載の料理用計量スプーンにおいて、柄に設けられ、前記柄の長手方向に平行な長手形状の開口部と、この長手形状の開口部の容器部より前記柄の後端に近い側に設けられ、前記長手形状の開口部の長手方向を横断する方向に張り出すと共に、前記長手形状の開口部に連通する張り出し開口部と、前記柄の裏面に設けられ、前記長手形状の開口部近傍の一方に設けられ、前記柄の長手方向に平行な第１のリブと、前記柄の裏面に設けられ、前記長手形状の開口部近傍の他方に設けられ、前記柄の長手方向に平行な第２のリブと、前記擦り切り部の裏面に接続され、前記長手形状の開口部の対向面に当接してスライドするスライダ部と、このスライダ部に接続され、前記長手形状の開口部の長手方向を横断する幅寸法より大きく、前記長手形状の開口部の長手方向を横断する前記張り出し開口部の幅寸法より小さい幅寸法を有する凸部とを備え、前記張り出し開口部を介して前記擦り切り部を前記柄に取り付け、取り外しできるものである。
【０００９】
また、請求項４記載の料理用計量スプーンは、請求項１又は請求項２又は請求項３記載の料理用計量スプーンにおいて、柄の後端であって、前記柄の裏面に設けられた指がかかるストッパー部を備えているものである。
【００１０】
また、請求項５記載の料理用計量スプーンは、請求項１又は請求項２又は請求項３又は請求項４記載の料理用計量スプーンにおいて、凹状の容器部は、柄に接続され、容器部先端に向かって下る方向に傾斜した傾斜面と、この傾斜面に接続され、略半球状の略半球面とを有するものである。
【発明の効果】
【００１１】
請求項１記載の料理用計量スプーンによれば、擦り切り部の前縁より立ち上がるように設けられた壁部により押し出され、すり切られた物が擦り切り部の上面へ移動するのを防ぐようにして、容器部内の一定量の物（例えば、塩、砂糖、小麦粉等）を計量する他、擦り切り部を閉めたまま反転させて複数の開口部から一定量の物を排出することができる。
【００１２】
また、請求項２記載の料理用計量スプーンによれば、擦り切り部の前縁より立ち上がるように設けられた壁部により押し出され、すり切られた物が擦り切り部の上面へ移動するのを防ぐようにして、容器部内の一定量の物を計量して、例えば、擦り切り部を開けて反転させて容器部から一定量の物（例えば、塩、砂糖、小麦粉等）を排出することができる。
【００１３】
また、請求項３記載の料理用計量スプーンによれば、上述した請求項１又は請求項２記載の発明の効果に加え、擦り切り部の裏面に接続され、長手形状の開口部の対向面に当接してスライドするスライダ部と、このスライダ部に接続され、前記長手形状の開口部の長手方向を横断する幅寸法より大きく、前記長手形状の開口部の長手方向を横断する前記張り出し開口部の幅寸法より小さい幅寸法を有する凸部とを備えているため、擦り切り部を柄に対して安定してスライドでき、しかも、長手形状の開口部近傍の一方に設けられた第１のリブと長手形状の開口部近傍の他方に設けられた第２のリブにより柄を補強でき、更に、張り出し開口部を介して擦り切り部を柄に取り付け、取り外しを容易に行うことができ、擦り切り部と柄を分離して、それぞれを洗うことができる。
【００１４】
また、請求項４記載の料理用計量スプーンによれば、上述した請求項１又は請求項２又は請求項３記載の発明の効果に加え、柄の後端であって、前記柄の裏面に指がかかるストッパー部を設けているため、例えば、右手の親指を擦り切り部に、右手の中指をストッパー部に、かければ、料理用計量スプーンを片手で安定して使用することができる。
【００１５】
また、請求項５記載の料理用計量スプーンによれば、上述した請求項１又は請求項２又は請求項３又は請求項４記載の発明の効果に加え、凹状の容器部は、柄に接続され、容器部先端に向かって下る方向に傾斜した傾斜面と、この傾斜面に接続され、略半球状の略半球面とを有するため、凹状の容器部が半球形状のものに比べ、特に、容器部先端に向かって下る方向に傾斜した傾斜面により、物をすくい取る際、凹状の容器部内に空隙が生じにくく、一定量の物をすくい取ることができる。
【図面の簡単な説明】
【００１６】
【図１】図１は、本発明の一実施例の料理用計量スプーンの概略的斜視図である。
【図２】図２は、図１の概略的平面図である。
【図３】図３は、図２の概略的底面図である。
【図４】図４は、図２の４−４線による概略的断面図である。
【図５】図５は、図１の擦り切り部を移動させて、凹状の容器部の開口部を閉じた状態の概略的斜視図である。
【図６】図６は、図５の概略的平面図である。
【図７】図７は、図６の概略的右側面面である。
【図８】図８は、図６の８−８線による概略的断面図である。
【図９】図９は、図６の９−９による概略的断面図である。
【図１０】図１０は、図９の一部を拡大して示す概略的一部拡大断面図である。
【図１１】図１１は、図２の料理用計量スプーンから擦り切り部を取り外して示す概略的底面図である。
【図１２】図１２は、図１１の概略的平面図である。
【図１３】図１３は、図２の料理用計量スプーンから取り外した擦り切り部の概略的底面図である。
【図１４】図１４は、図１３の１４−１４による概略的断面図である。
【発明を実施するための形態】
【００１７】
本発明の一実施例の料理用計量スプーンを図面（図１乃至図１４）を参照して説明する。
図１に示すＫは料理用計量スプーンで、料理用計量スプーンＫは、物（例えば、塩、砂糖、小麦粉等）をすくい取る凹状の容器部１と、この容器部１に接続された柄２と、この柄２に摺動自在に取り付けられ、容器部１の縁より上にあるすくい取られた前記物を取り去る擦り切り部３とを備えている。
３０は、擦り切り部３の前縁より立ち上がるように設けられた壁部で、擦り切り部３には、表裏を貫く複数の開口部３２が設けられている。壁部３０の高さは、例えば、中央が高く、左右の端部に行くにつれて低くなっている。
【００１８】
従って、上述した料理用計量スプーンＫによれば、擦り切り部３の前縁より立ち上がるように設けられた壁部３０により押し出され、すり切られた物が擦り切り部３の上面へ移動するのを防ぐようにして、容器部１内の一定量の物を計量する他、擦り切り部３を閉めたまま反転させて複数の開口部３２から一定量の物（例えば、塩、砂糖、小麦粉等）を排出することができる。
【００１９】
なお、凹状の容器部１は、図４に示すように、柄２に接続され、容器部１先端に向かって下る方向に傾斜した傾斜面１１と、この傾斜面１１に接続され、略半球状の略半球面１２とを有する。
これは、凹状の容器部が半球形状のもに比べ、特に、容器部１先端に向かって下る方向に傾斜した傾斜面１１により、物（例えば、塩、砂糖、小麦粉等）をすくい取る際、凹状の容器部１内に空隙が生じにくく、一定量の物をすくい取るためである。
【００２０】
図１２に示す２１は、柄２に設けられ、柄２の長手方向に平行な長手形状の開口部で、２１ａは、長手形状の開口部２１の中途に設けられ、長手形状の開口部２１の容器部１より柄２の後端２Ａに近い側に設けられ、長手形状の開口部２１の長手方向を横断する方向に張り出すと共に、長手形状の開口部２１に連通する張り出し開口部である。
また、図１１に示すＲ１は、柄２の裏面に設けられ、長手形状の開口部２１近傍の一方に設けられ、柄２の長手方向に平行な第１のリブで、Ｒ２は、第１のリブＲ１に平行であって、柄２の裏面に設けられ、長手形状の開口部２１近傍の他方に設けられ、柄２の長手方向に平行な第２のリブである。
【００２１】
図１４に示す３１は、擦り切り部３の裏面に接続され、長手形状の開口部２１の対向面に当接してスライドするスライダ部で、３２は、スライダ部３１に接続され、長手形状の開口部２１の長手方向を横断する幅寸法Ｘ（図６）より大きく、長手形状の開口部２１の長手方向を横断する張り出し開口部２１ａの幅寸法Ｙ（図６）より小さい幅寸法Ｚ（図１０、図１３）を有する凸部である。
そのため、張り出し開口部２１ａを介して擦り切り部３を柄２に取り付け、取り外しができるようになっている。特に、図１に示す２０は、擦り切り部３を柄２から取り外す際、親指を引っかける凹形状の部位となっている。
【００２２】
その結果、擦り切り部３を柄２に対して安定してスライドでき、しかも、長手形状の開口部２１近傍の一方に設けられた第１のリブＲ１と長手形状の開口部２１近傍の他方に設けられた第２のリブＲ２により柄２を補強でき、更に、張り出し開口部２１ａを介して擦り切り部３を柄２に取り付け、取り外しを容易に行うことができ、擦り切り部３と柄２を分離して、それぞれを洗うことができ、清潔に保つことができる。
【００２３】
また、図１、図５、図７に示すＳは、柄２の後端２Ａであって、柄２の裏面に設けられた指がかかるストッパー部である。
そのため、例えば、右手の親指を擦り切り部３（例えば、擦り切り部３の上面に設けられた係止部３３、３３）に、右手の中指をストッパー部Ｓにかければ、料理用計量スプーンＫを片手で安定して使用することができる。
【００２４】
なお、上述した料理用計量スプーンＫの擦り切り部３に表裏を貫く複数の開口部３２を設けたが、場合により、擦り切り部３に表裏を貫く複数の開口部３２を設けなくても良い。
この場合の料理用計量スプーンＫは、物（例えば、塩、砂糖、小麦粉等）をすくい取る凹状の容器部１と、この容器部１に接続された柄２と、この柄２に摺動自在に取り付けられ、容器部１の縁より上にあるすくい取られた前記物を取り去る擦り切り部３と、この擦り切り部３の前縁より立ち上がるように設けられた壁部３０とを備えたものとなる。
この料理用計量スプーンＫによれば、擦り切り部３の前縁より立ち上がるように設けられた壁部３０により押し出され、すり切られた物が擦り切り部３の上面へ移動するのを防ぐようにして、容器部１内の一定量の物を計量して、例えば、擦り切り部３を開けて反転させて容器部１から一定量の物（例えば、塩、砂糖、小麦粉等）を排出することができる。
【符号の説明】
【００２５】
Ｋ      料理用計量スプーン
１      容器部
２      柄
３      擦り切り部
３０    壁部
【図１】
2019078536.tif 000003
【図２】
2019078536.tif 000004
【図３】
2019078536.tif 000005
【図４】
2019078536.tif 000006
【図５】
2019078536.tif 000007
【図６】
2019078536.tif 000008
【図７】
2019078536.tif 000009
【図８】
2019078536.tif 000010
【図９】
2019078536.tif 000011
【図１０】
2019078536.tif 000012
【図１１】
2019078536.tif 000013
【図１２】
2019078536.tif 000014
【図１３】
2019078536.tif 000015
【図１４】
2019078536.tif 000016